(57)【要約】      （修正有）【課題】ハンディモップ装着具に対して塵埃清拭用のハンディモップ本体が着脱可能とされており、且つハンディモップ装着具がモップ挿入体部分と、握り部がある柄部材部分とに分割された状態で販売されている構造のものにおいて、モップ挿入体部分がハンディモップ本体側に取り残されることがない構造のハンディモップ装着具を提供する。【解決手段】ハンディモップ本体に形成されている挿入片受袋体に挿入されるモップ挿入片１１と該モップ挿入片１１の一端側に形成されたモップ挿入体端部材１２とを有するモップ挿入体１０と、握り部２１と前記モップ挿入体端部材１２と相互に嵌合する受口２３を形成した柄端部材２２とを形成した柄部材２０とを連結して構成されるハンディモップ装着具において、モップ挿入体１０側の端部材１２に形成した係合片１４と柄部材２０の柄端部材２２側に形成した係合穴２４とが相互に嵌合したあとでは相互に離脱できないハメ殺し方式により結合されるように構成する。【選択図】図１
0003166601.tif 000002
【実用新案登録請求の範囲】
【請求項１】
塵埃清拭用のハンディモップ本体に形成されている挿入片受袋体に挿入されるモップ挿入片（１１）と該モップ挿入片（１１）の一端側に形成されたモップ挿入体端部材（１２）とを有するモップ挿入体（１０）と、握り部（２１）と前記モップ挿入体端部材（１２）と相互に嵌合する受口（２３）を形成した柄端部材（２２）とを形成した柄部材（２０）とを連結して構成されるハンディモップ装着具であって、前記モップ挿入体（１０）側の端部材（１２）に形成した係合片（１４）と前記柄端部材（２２）側に形成した係合穴（２４）とが相互に嵌合したあとでは相互に離脱できないハメ殺し方式により結合されるように構成されていることを特徴とするハンディモップ装着具。
【考案の詳細な説明】
【技術分野】
【０００１】
本願考案は、塵埃清拭用のハンディモップ本体を装着するために使用されるハンディモップ装着具に関するものである。
【背景技術】
【０００２】
家具や自動車室内等に付着した塵埃を清拭するためのハンディモップの本体とその装着具とが分離された状態で販売されていて、ユーザーが使用するときにハンディモップ装着具にハンディモップ本体を装着するようにされている分離組立型のハンディモップは従来から知られている。
【０００３】
そして、公知の分離組立型ハンディモップの中には、商品の包装形態をコンパクトにするためにハンディモップ装着具をさらに２分割構造とし、使用にあたっては２つの分割体を結合して１つのハンディモップ装着具とするようにしたものが知られている。
【０００４】
また、この種の分離組立型のハンディモップは、塵埃清拭用のハンディモップ本体部分は使い捨て方式のものとされる一方、ハンディモップ装着具は繰り返し使用されるのが一般的であるため、ハンディモップ装着具に対してはハンディモップ本体が円滑に着脱される必要がある。たとえば、ハンディモップ装着具が上記のような２分割構造のものであった場合に、ハンディモップ本体からハンディモップ装着具を取り外す際に、ハンディモップ本体内に挿入されているモップ挿入片が握り部から外れてそのままハンディモップ本体内に取り残されるという問題が懸念される。
【０００５】
特許文献１（特開２００７−１６７４２５号公報）にもそのような問題の指摘があり、その明細書の段落「００１２」では、図５及び図６に示すような従来例についての次のような指摘がされている。
【０００６】
特許文献１における指摘
（図５及び図６参照）
従来の清掃具５０では、Ｕ字状切込み部５４は、本体側連結部５６が設けられた清掃具本体５２の連結側端部の端縁部分から内方に切り欠いてＵ字状切込み部５４が形成されていることから、Ｕ字状切込み部５４と張出し支持部５５は、清掃具本体５２と概ね同一面上に延びて設けられ、厚さが幅方向の長さに対して薄く、清掃具本体５２の長手方向への曲げ力に対して変形しやすい。このため、清掃具本体５２を被清掃面へ押圧した時に当該連結部５６に負荷される応力によって変形しやすく、繰り返し清掃作業が行われると、柄部５３が清掃具本体５２から抜け易くなるものと考えられる。
【０００７】
特許文献１の発明にかかる清掃具は、このような問題点に立脚してなされたものであるが（詳細は同文献１参照）、その構造がいささか複雑であるように考えられる。
【先行技術文献】
【特許文献】
【０００８】
【特許文献１】特開２００７−１６７４２５号公報
【考案の概要】
【考案が解決しようとする課題】
【０００９】
本願考案は、ハンディモップ装着具に対して塵埃清拭用のハンディモップ本体が着脱可能とされており、且つハンディモップ装着具がハンディモップ本体側に挿入されるモップ挿入体部分と、握り部がある柄部材部分とに分割された状態で販売されている構造のものにおいて、ハンディモップ本体側に挿入されるハンディモップ装着具のモップ挿入体部分と握り部がある柄部材とを簡便な結合方式で結合可能とし、且つ一旦結合されたあとは相互に離脱することがない（すなわち、モップ挿入体部分がハンディモップ本体側に取り残されることがない）ようにしたハンディモップ装着具を提供しようとしてなされたものである。
【課題を解決するための手段】
【００１０】
本願考案のハンディモップ装着具は、上記のような課題を解決するための手段として、図１〜図４に例示するように、ハンディモップ本体に形成されている挿入片受袋体に挿入されるモップ挿入片１１と該モップ挿入片１１の一端側に形成されたモップ挿入体端部材１２とを有するモップ挿入体１０と、握り部２１と前記モップ挿入体端部材１２と相互に嵌合する受口２３を形成した柄端部材２２とを形成した柄部材２０とを連結して構成されるハンディモップ装着具において、前記モップ挿入体１０側の端部材１２に形成した係合片１４と前記柄部材２０の柄端部材２２側に形成した係合穴２４とが相互に嵌合したあとでは相互に離脱できないハメ殺し方式により結合されるように構成されていることを特徴とするものである。
【考案の効果】
【００１１】
本願考案のハンディモップ装着具は、塵埃清拭用のハンディモップ本体側に挿入されるモップ挿入体と握り部のある柄部材とに分割されることにより、商品の包装形態がコンパクトになるとともに、モップ挿入体と柄部材の結合が、その一方に形成された係合片と他の一方に形成された係合穴とをハメ殺し方式で結合することにより行われるものであるから、モップ挿入体と柄部材とが一旦連結されたあとは、両者が分離することがなく、ハンディモップ装着具からのハンディモップ本体の取り外し時に、モップ挿入体（ハンディモップ装着具の前半部分）が柄部材側から分離してハンディモップ本体側に取り残されるということがない。
【図面の簡単な説明】
【００１２】
【図１】本願考案の実施例にかかるハンディモップ装着具の分解状態の斜視図である。
【図２】図１に示す実施例のハンディモップ装着具の使用時の結合状態説明図である。
【図３】図１に示す実施例のハンディモップ装着具におけるモップ挿入体と柄部材の結合部分の説明図である。
【図４】図１に示す実施例のハンディモップ装着具の使用方法説明図である。
【図５】従来例にかかるハンディモップの斜視図である。
【図６】図４に示す従来例のハンディモップで使用されているハンディモップ装着具の分解斜視図である。
【考案を実施するための形態】
【００１３】
続いて添付の図１〜図４を参照して本願考案の好適な実施例を説明すると、図１に示すハンディモップ装着具（モップ挿入体１０と柄部材２０とが２分割状態とされている）は、商品として販売時には２分割状態で包装されるが、その使用時には図２に示すように両者が結合されて一体化され、さらにその一体化された状態（符号４６）で図４に示すように塵埃清拭用のハンディモップ本体４０を装着して使用される。
【００１４】
モップ挿入体１０は、ハンディモップ本体４０側の２本の挿入片受袋体４２，４２に挿入される２本のモップ挿入片１１，１１を有しており、そのモップ挿入片１１，１１は結合端部材１２で結合されている。
【００１５】
一方、柄部材２０は、握り部２１の一端側にモップ挿入体１０側の端部材１２を受け入れるための受口２３を形成した柄端部材２２が一体形成されている。
【００１６】
この実施例のハンディモップ装着具４６は、その使用時にはモップ挿入体１０と柄部材２０とを結合して一体化するが、その結合手段は本考案を適用して、いわゆる「ハメ殺し」構造を採用している。次に、図３を参照してこの実施例で採用している「ハメ殺し」結合構造について説明すると、この実施例では、モップ挿入体１０の端部材１２の両側方に形成した係合片１４，１４を柄部材２０側の受口２３の両側壁に形成した係合穴２４，２４に係入させる構造としている。
【００１７】
図示実施例のハンディモップ装着具においては、モップ挿入体１０の素材（やや軟質の合成樹脂）は柄部材２０側の素材（硬質合成樹脂）よりも柔軟性（弾性）の大きい材料が使用されるとともに、柄部材２０側の受口２３の内壁間寸法Ｄ１よりモップ挿入体１０側の係合片１４，１４間の寸法Ｄ２がやや大きくなるようにされている。そして、モップ挿入体１０側の端部材１２を柄部材２０側の受口２３に嵌合させるに際しては端部材１２が受口２３内で進入するにつれて係合片１４，１４が内方に弾性変形し、該係合片１４，１４が柄部材２０側の係合穴２４，２４と合致するに至ると該係合片１４，１４が外方へ弾性変形（原形復帰）していわゆる「ハメ殺し」状態となってモップ挿入体１０と柄部材２０とが分離不可能の状態で結合される。このモップ挿入体１０と柄部材２０の結合状態においては、モップ挿入体１０の端部材１２の先端部に形成されている突子１３と柄部材２０側の受口２３の底部２３ａとがやや強く衝合して相互に結合されたモップ挿入体１０と柄部材２０とがグラつかないようになっている。
【００１８】
なお、モップ挿入体１０側の素材と柄部材２０側の素材は、他の実施例では、モップ挿入体１０側については硬質の合成樹脂とし、他方の柄部材２０側についてはそれよりやや軟質の合成樹脂としたり、あるいは、モップ挿入体１０と柄部材２０とを同一硬度の素材とすることもできる。モップ挿入体１０と柄部材２０の具体的素材名としては、たとえばＡＢＳ，ＰＳ，ＰＥＴ，アクリル，ＰＰ等の合成樹脂材をあげることができ、これらの材料を適宜組合わせて（たとえば、ＰＰ＋ＰＰ）使用することができる。
【００１９】
なお、図示実施例のハンディモップ装着具はモップ挿入体１０の各モップ挿入片１１の外側方に略半円形状の膨出体１５，１５，１５を形成しており、各モップ挿入片１１，１１をハンディモップ本体４０の挿入片受袋体４２，４２内に挿入した際にはそれらの膨出体１５が摩擦力によりハンディモップ本体４０の抜け止め作用をする。
【符号の説明】
【００２０】
１０はモップ挿入体、１１はモップ挿入片、１２は端部材、１４は係合片、２０は柄部材、２１は握り部、２２は端部材、２３は受口、２４は係合穴、４０はハンディモップ本体、４１は挿入口、４２は挿入片受袋体、４６はハンディモップ装着具である。
【図１】
0003166601.tif 000003
【図２】
0003166601.tif 000004
【図３】
0003166601.tif 000005
【図４】
0003166601.tif 000006
【図５】
0003166601.tif 000007
【図６】
0003166601.tif 000008